(57)【要約】【課題】運転部から機体後方を目視で確認するような場合に、運転者の身体が誤って操作具等に接触するおそれを少なくすることが望まれていた。【解決手段】運転部の上方を覆うキャノピー１７に、運転部の上方に位置するルーフ部４１と、ルーフ部４１を支持する左右の支柱４２と、ルーフ部４１を左右の支柱４２に対して片持ち状態且つ横軸芯周りで角度変更可能な状態で支持する左右の支持部４３とが備えられ、支持部４３に、ルーフ部４１の角度位置を保持する保持機構５０が備えられ、保持機構５０に、手動操作により、角度位置を変更可能な移動状態と、角度位置を保持する位置保持状態とに切り換え操作可能な手動操作具６２が備えられ、手動操作具６２は、左右の支柱４２の間に位置する状態で備えられている。【選択図】図４
2020080713.tif 000002
【特許請求の範囲】
【請求項１】
運転部と、前記運転部の上方を覆うキャノピーとを備え、
前記キャノピーに、前記運転部の上方に位置するルーフ部と、前記ルーフ部を支持する左右の支柱と、前記ルーフ部を前記左右の支柱に対して片持ち状態且つ横軸芯周りで角度変更可能な状態で支持する左右の支持部とが備えられ、
前記支持部に、前記ルーフ部の角度位置を保持する保持機構が備えられ、
前記保持機構に、手動操作により、前記ルーフ部の角度位置を変更可能な移動状態と、前記ルーフ部の角度位置を保持する位置保持状態とに切り換え操作可能な手動操作具が備えられ、
前記手動操作具は、前記左右の支柱の間に位置する状態で備えられている作業車。
【請求項２】
前記運転部に運転座席が備えられ、
前記保持機構に、前記手動操作具として、前記ルーフ部の角度変更に伴って相対移動する可動側部材と固定側部材のうちのいずれか一方にスライド操作可能にロックピンが備えられ、
前記保持機構は、前記可動側部材と前記固定側部材のうちの他方に前記ロックピンが差し込み可能な複数の係止孔が形成され、且つ、前記ロックピンを選択的にいずれかの前記係止孔に差し込むことにより角度位置を保持するように構成され、
前記保持機構よりも前記運転座席から離れた位置に、前記可動側部材と前記固定側部材とに亘って挿通するとともに、ネジ込み操作により前記可動側部材と前記固定側部材とを押圧固定するネジ込み式固定機構が備えられ、
前記ネジ込み式固定機構の操作具が前記左右の支柱の左右方向外方側に位置する状態で備えられている請求項１に記載の作業車。
【請求項３】
前記ネジ込み式固定機構は、前記左右の支柱に対して夫々備えられている請求項２に記載の作業車。
【請求項４】
前記保持機構は、前記左右の支柱のうちの左右方向一方側の前記支柱に対してのみ設けられ、
前記ルーフ部における左右方向一方側箇所に把手が備えられている請求項１から３のいずれか１項に記載の作業車。
【請求項５】
収穫物を脱穀処理する脱穀部と、脱穀処理された穀粒を貯留する穀粒貯留部と、が機体横幅方向に並ぶ状態で備えられ、
前記運転部が機体前部に位置するとともに、前記運転部の後方に前記穀粒貯留部が位置する状態で備えられ、
前記左右の支柱が前記穀粒貯留部の前部に支持され、
前記左右の支柱のうち機体横幅方向中央側に位置する前記支柱に対応する前記支持部にのみ前記保持機構が備えられている請求項１から４のいずれか１項に記載の作業車。
【発明の詳細な説明】
【技術分野】
【０００１】
本発明は、例えば、コンバイン等の作業車に関し、詳しくは、運転部の上方を覆うキャノピーが備えられている作業車に関する。
【背景技術】
【０００２】
作業車の一例であるコンバインにおいて、従来では、運転部の後方に備えられた穀粒貯留部の前部に左右の支柱が支持され、その左右の支柱の上部に角度位置調節機構を介して角度位置を変更可能な状態でルーフ部が支持されている。そして、角度位置調節機構における手動操作具としての傾斜角度調節具が、左右の支柱の左右方向外方側に位置する状態で設けられていた（例えば、特許文献１参照）。
【先行技術文献】
【特許文献】
【０００３】
【特許文献１】特開２００９−２０７４８０号公報
【発明の概要】
【発明が解決しようとする課題】
【０００４】
ところで、この種の作業車では、運転者は操縦操作しているときは、機体前方を目視するが、機体後方側での作業状況、例えば、穀粒貯留部における穀粒の貯留状態を目視で確認する場合には、運転者は運転座席から立ち上がって身体を捻りながら機体後方を見る必要がある。そのとき、運転者は、正確に確認するために、できるだけ後方に寄った姿勢で確認することがある。その場合、左右の支柱の間は狭い空間であるから、運転者は左右の支柱の左右方向外方側から身を乗り出して目視することになる。
【０００５】
しかし、上記従来構成では、左右の支柱の左右方向外方側に手動操作具（傾斜角度調節具）が設けられているので、上述したような機体後方を見る場合に、運転者の頭部等が手動操作具に接触して不快に感じるおそれがあり、この点で改善の余地があった。
【０００６】
そこで、運転部から機体後方を目視で確認するような場合に、運転者の身体が誤って操作具等に接触するおそれを少なくすることが望まれていた。
【課題を解決するための手段】
【０００７】
本発明に係る作業車の特徴構成は、運転部と、前記運転部の上方を覆うキャノピーとを備え、前記キャノピーに、前記運転部の上方に位置するルーフ部と、前記ルーフ部を支持する左右の支柱と、前記ルーフ部を前記左右の支柱に対して片持ち状態且つ横軸芯周りで角度変更可能な状態で支持する左右の支持部とが備えられ、前記支持部に、前記ルーフ部の角度位置を保持する保持機構が備えられ、前記保持機構に、手動操作により、前記ルーフ部の角度位置を変更可能な移動状態と、前記ルーフ部の角度位置を保持する位置保持状態とに切り換え操作可能な手動操作具が備えられ、前記手動操作具は、前記左右の支柱の間に位置する状態で備えられている点にある。
【０００８】
運転者が機体後方側での作業状況を目視で確認する場合には、運転者は左右の支柱の左右方向外方側の広い空間を通して身を乗り出して目視することになる。本発明によれば、ルーフ部の角度位置を変更させるための手動操作具が左右の支柱の間に位置する状態で備えられるので、運転者が機体後方側を目視する場合に、左右の支柱の間は狭い空間を通して身を乗り出すことはなく、手動操作具が運転者の身体に接触するおそれは少ない。
【０００９】
従って、運転部から機体後方を目視で確認するような場合に、運転者の身体が誤って操作具等に接触するおそれを少なくすることが可能となった。
【００１０】
本発明においては、前記運転部に運転座席が備えられ、前記保持機構に、前記手動操作具として、前記ルーフ部の角度変更に伴って相対移動する可動側部材と固定側部材のうちのいずれか一方にスライド操作可能にロックピンが備えられ、前記保持機構は、前記可動側部材と前記固定側部材のうちの他方に前記ロックピンが差し込み可能な複数の係止孔が形成され、且つ、前記ロックピンを選択的にいずれかの前記係止孔に差し込むことにより前記ルーフ部の角度位置を保持するように構成され、前記保持機構よりも前記運転座席から離れた位置に、前記可動側部材と前記固定側部材とに亘って挿通するとともに、ネジ込み操作により前記可動側部材と前記固定側部材とを押圧固定するネジ込み式固定機構が備えられ、前記ネジ込み式固定機構の操作具が前記左右の支柱の左右方向外方側に位置する状態で備えられていると好適である。
【００１１】
本構成によれば、ロックピンを複数の係止孔のうちのいずれかに選択的に差し込むことにより、ロックピンと係止孔との係合によって可動側部材と固定側部材の相対移動が規制され、ルーフ部を複数の角度位置の夫々において的確に位置保持することができる。ところで、ルーフ部がこのような保持機構のみにより位置保持される構成であれば、例えば、風が吹き付けたり、樹木の枝等の外物が接触する等、ルーフ部に対して強い力が作用する状態が繰り返し発生すると、ロックピンと係止孔との係合箇所が損傷して、長期にわたり的確な位置保持を行えないおそれがある。
【００１２】
そこで、上記したような保持機構とは別にネジ込み式固定機構を備えて、ネジ込み操作により可動側部材と固定側部材とを押圧固定するようにした。その結果、保持機構によって位置保持している状態でネジ込み式固定機構により押圧固定することで、ルーフ部に対して強い力が作用する状態が発生しても、ロックピンと係止孔との係合箇所だけに強い力が作用することはなく損傷を防止することが可能である。
【００１３】
従って、ルーフ部を適正な角度位置で位置保持することができるものでありながら、短期間での損傷の発生を防止して長期にわたり的確な位置保持を行えるものとなった。
【００１４】
本発明においては、前記ネジ込み式固定機構は、前記左右の支柱に対して夫々備えられていると好適である。
【００１５】
本構成によれば、ルーフ部を左右の支柱に対して夫々、ネジ込み式固定機構により押圧固定することにより、左右両側でバランスよく固定することができ、捻じれ等の少ない安定した姿勢で保持することができる。
【００１６】
本発明においては、前記保持機構は、前記左右の支柱のうちの左右方向一方側の前記支柱に対してのみ設けられ、前記ルーフ部における左右方向一方側箇所に把手が備えられていると好適である。
【００１７】
本構成によれば、ルーフ部の角度位置を変更するときは、作業者は、一方の手でルーフ部の把手を握ってルーフ部の姿勢を保持しながら、他方の手で保持機構の手動操作具を操作して、ルーフ部を複数の角度位置のいずれか選択される位置にて保持する。
【００１８】
そして、保持機構は左右方向一方側の支柱に対応する位置にあり、把手はルーフ部の左右方向一方側に備えられる。このように、保持機構と把手とは、左右方向一方側に寄った位置にあり、それらは比較的近い位置に設けられる。その結果、作業者は、手動操作具と把手とを同時に操作してルーフ部の角度位置を変更する作業が行い易いものになる。
【００１９】
本発明においては、収穫物を脱穀処理する脱穀部と、脱穀処理された穀粒を貯留する穀粒貯留部と、が機体横幅方向に並ぶ状態で備えられ、前記運転部が機体前部に位置するとともに、前記運転部の後方に前記穀粒貯留部が位置する状態で備えられ、前記左右の支柱が前記穀粒貯留部の前部に支持され、前記左右の支柱のうち機体横幅方向中央側に位置する前記支柱に対応する前記支持部にのみ前記保持機構が備えられていると好適である。
【００２０】
本構成によれば、運転部の後方には穀粒貯留部が備えられ、穀粒貯留部の横側に脱穀部が備えられている。この種の作業車では、運転者は作業途中で穀粒貯留部における作業状況を確認するために、機体後方側を目視する場合がある。そして、この種の作業車では、運転部の車体横幅方向外方側は、開放された状態になっており、機体横幅方向外方側に身体を寄せると不安定な状態になり易い。これに対して、機体横幅方向中央側には、サイドパネル等が備えられ、機体横幅方向中央側に身体を寄せると安定した状態となる。
【００２１】
そして、機体横幅方向中央側に位置する支柱に対応する支持部にのみ保持機構が備えられているので、ルーフ部の角度位置を変更する際には、機体横幅方向中央側に身体を寄せて安定した状態で作業することができる。
【図面の簡単な説明】
【００２２】
【図１】コンバインの全体側面図である。
【図２】コンバインの全体平面図である。
【図３】ルーフ部の支持構造を示す側面図である。
【図４】ルーフ部の支持構造を示す正面図である。
【図５】ルーフ部の支持構造を示す一部切り欠き正面図である。
【図６】図５のＶＩ−ＶＩ線断面図である。
【図７】操作ワイヤの配索状態を示す正面図である。
【図８】操作ワイヤの配索状態を示す側面図である。
【発明を実施するための形態】
【００２３】
以下、本発明に係る実施形態をコンバインの一例としての普通型コンバインに適用した場合について図面に基づいて説明する。尚、この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００２４】
〔全体構成〕
図１，２に示すように、普通型コンバインは、左右一対のクローラ走行装置１を備えた走行機体２の前部右側に運転部３が備えられ、刈り取られた作物を脱穀処理する脱穀部４と、脱穀処理により得られた穀粒を貯留する穀粒貯留部５とが備えられている。穀粒貯留部５は運転部３の後側に位置する状態で備えられ、穀粒貯留部５が機体右側に位置し、脱穀部４が機体左側に位置する状態で、穀粒貯留部５と脱穀部４とが機体横幅方向に沿って並んで機体に支持されている。運転部３の下方にエンジン６とミッションケース７とが備えられている。エンジン６の動力は、ミッションケース７内の図示しない伝動機構を介して左右のクローラ走行装置１に伝達される一方、他の装置にも伝達される。
【００２５】
脱穀部４の前部に、図示しない油圧シリンダの駆動操作により、横軸芯周りに上下揺動可能にフィーダ８が連結され、このフィーダ８の前端に略機体横幅に相当する刈幅を有する刈取部９が一体的に連結されている。刈取部９は、植立穀稈を後方に向けて掻き込む回転リール１０、植立穀稈の株元を切断して刈り取るバリカン型の刈取装置１１、刈取穀稈を機体横幅方向中間側へ横送り移送する横送りオーガ１２等を備えており、刈取装置１１により刈り取った穀稈を横送りオーガ１２によって横送りしてフィーダ８に供給する。
【００２６】
運転部３には、運転座席１３、運転座席１３の前方に位置して床面から立ち上げ形成された操縦ポスト１４、操縦ポスト１４の上面に備えられたフロントパネル１５、運転座席１３の左横側に位置するサイドパネル１６等が備えられている。運転部３には、運転座席１３に着座する運転者に対する日差しを防ぐキャノピー１７が備えられている。
【００２７】
フロントパネル１５には、左右方向中央部に各種の情報を表示する表示パネル１８が備えられ、表示パネル１８の右横側に十字揺動操作可能な操作レバー１９が備えられている。フロントパネル１５の前側縁部１５ａは滑らかな円弧状に形成され、フロントパネル１５の後側縁部１５ｂは、左右両側が少し前方に入り込み、中央側が滑らかに連なるように凹入する形態となっている。尚、フロントパネル１５の後側縁部１５ｂの下側は、凹入する形態に沿わせる状態で全体を覆う板金性のフロントカバー２０により覆われている。
【００２８】
サイドパネル１６には、変速レバー２１や脱穀クラッチレバー２２等の種々の操作具が備えられている。運転座席１３の右横側には、図示しないラジエータファンの作用によってエンジン６に対する冷却風を吸気するための防塵ダクト２３が備えられている。
【００２９】
フロントパネル１５に備えられる操作レバー１９は、図示はしていないが、前後方向の揺動操作により、昇降用の油圧シリンダに対する作動油を制御して刈取部９の昇降操作を指令する構成となっている。又、操作レバー１９は、左右方向の揺動操作により走行機体２の旋回操作を指令する構成となっている。図７，８に示すように、操作レバー１９とミッションケース７の横側部に設けられた旋回バルブ２４の操作具２５とが操作ワイヤ２６によって連係されている。旋回バルブ２４は、ミッションケース７内の図示しない油圧操作式の走行状態切換機構に対する油圧制御を行う。
【００３０】
操作レバー１９の中立位置から左方向への操作で左側への旋回走行状態に切り換わり、さらに、左方向への操作量が大になるに連れて左旋回状態での旋回力が大きくなる（急旋回する）ように操作される。操作レバー１９の中立位置から右方向への操作で右側への旋回走行状態に切り換わり、さらに、右方向への操作量が大になるに連れて右旋回状態での旋回力が大きくなる（急旋回する）ように操作される。
【００３１】
図７，８に示すように、操作ワイヤ２６は、操作レバー１９の下部からフロントパネル１５の下方側の空間及びサイドパネル１６の下方側の空間を通り、ミッションケース７横側の旋回バルブ２４に向けて延びる状態で配索されている。操作レバー１９は、サイドパネル１６の下方側の空間を通過する箇所に備えられた係止具２７により、途中部が位置保持されている。
【００３２】
操作ワイヤ２６を保持する係止具２７は、棒材を折り曲げて形成されている。サイドパネル１６を構成するパネル支持板２８における運転座席側（右側）の横側端部は折り曲げ形成され、下方に延びる横側部２８Ａが一体的に設けられている。係止具２７の上端部がパネル支持板２８の横側部２８Ａの内側に支持されている。すなわち、係止具２７の上端部に一体的に固定された取付用板体２９が、横側部２８Ａの内側に溶接されたボルト３０と、それに螺合するナット３１とにより、締め付け固定された状態で固定支持されている。係止具２７は、下方側に長く延びており、下端部に円弧状に折り曲げられたワイヤ係止部２７Ａが形成されている。
【００３３】
サイドパネル１６の下方の内部空間における運転座席１３側の側部はサイドカバー３２によって覆われ、内部空間を閉塞する構成となっている。サイドカバー３２は、メンテナンス作業のために取り外し可能に構成されている。このサイドカバー３２を取り外した場合であっても、係止具２７はパネル支持板２８の横側部２８Ａに固定されているので取付状態がそのまま維持され、操作ワイヤ２６の係止保持状態は良好に維持できる。
【００３４】
脱穀部４は、図示はしないが、内部空間の上部側に扱胴と受網（図示せず）とを有し、フィーダ８より搬送されてくる刈取穀稈の扱き処理を行う扱室が形成されている。又、扱室の下部に、受網から漏下する扱き処理物を、穀粒、枝付き籾等の二番物、及び、排ワラ屑等に選別する選別処理部が備えられている。選別処理部にて選別された穀粒は、図示しない一番物回収スクリューにより脱穀部４の穀粒貯留部５側の横側外方に排出される。脱穀部４における穀粒貯留部５側の側壁４Ａの横外側方にスクリューコンベアからなる揚穀装置３３が備えられている。脱穀部４の穀粒貯留部５側の横側外方に排出された穀粒は、揚穀装置３３により上方に搬送され、穀粒貯留部５内に貯留される。選別処理部にて得られた二番物は脱穀部４の前側部分に還元され、排ワラ屑等は機体後部側から外方に排出される。
【００３５】
図１，２に示すように、穀粒貯留部５は、脱穀処理された穀粒を貯留する貯留空間を有するとともにその貯留空間の下方に穀粒を排出可能な排出口３４を有する貯留用ホッパー３５と、貯留用ホッパー３５から排出される穀粒を回収する回収部３６とが備えられている。貯留用ホッパー３５は、下部側に３つの下狭まり状の漏斗部３７を有し、３つの漏斗部３７の下端部には、穀粒を下方に排出可能な排出口３４が形成され、且つ、その排出口３４を開閉自在な手動操作式のシャッター機構（図示せず）が備えられている。
【００３６】
回収部３６は、排出口３４から排出される穀粒を収容するための穀粒収容袋Ｋを縦姿勢で保持することができる。回収部３６の下部には、穀粒が収容された穀粒収容袋Ｋを受止め支持するための載置台が備えられ、その右側には、穀粒回収作業を行う補助作業者が乗ることができる作業用ステップ部３９が備えられている。作業用ステップ部３９の上側には、作業領域の上方側を覆う補助キャノピー４０が備えられている。
【００３７】
〔キャノピーの支持構造〕
次に、キャノピー１７の支持構造について説明する。
図１に示すように、キャノピー１７には、運転部３の上方に位置するルーフ部４１と、ルーフ部４１を支持する左右の支柱としての縦向きフレーム４２と、ルーフ部４１を左右の縦向きフレーム４２に対して片持ち状態で且つ横軸芯周りで角度変更可能な状態で支持する左右の支持部としての支持アーム４３とが備えられている。縦向きフレーム４２は、貯留用ホッパー３５の前壁部３５Ｃの前面側に固定状態で備えられている。
【００３８】
ルーフ部４１は、略矩形状に設けられた矩形枠部材４４と、それを覆うように設けられるカバー体４５とを備えて運転者に対する日差しを防ぐことができるように構成されている。カバー体４５は布あるいは樹脂材等を用いて構成される。
【００３９】
左右の縦向きフレーム４２から機体前方上方に向けて左右両側部に夫々支持アーム４３が延設されている。左右の縦向きフレーム４２の上端部に左右の支持アーム４３が上下方向に向き変更可能に支持されている。詳述はしないが、ハンドル付きのボルト７０により締め付けて位置固定するとともに、ボルトを緩めて支持アーム４３の姿勢を変更することができる。縦向きフレーム４２に対する支持アーム４３の姿勢を変更することで、例えば、支持アーム４３を機体前方上方に斜め姿勢で延びる作用状態と、前後水平姿勢で前方に延びる格納状態等に姿勢変更させることができる。
【００４０】
左右の支持アーム４３の遊端側箇所に、矩形枠部材４４が横向き軸芯Ｘ周りで回動可能並びに複数の回動位置で位置保持可能に支持されている。左右の支持アーム４３には夫々、ネジ込み操作により矩形枠部材４４を押圧固定するネジ込み式固定機構４９が備えられている。又、左側の支持アーム４３には、ルーフ部４１の角度位置を保持する保持機構５０が備えられている。
【００４１】
次に、左右の支持アーム４３に対するルーフ部４１の支持構造について説明する。
図３，４，５に示すように、左右の支持アーム４３の遊端側箇所同士にわたって円筒状の支軸５１が架設されている。矩形枠部材４４における左右の支持アーム４３に対応する位置に、可動側部材としての支持ブラケット５２が一体的に固定されて下方に延びる状態で備えられている。左右の支持ブラケット５２の下端部には、支軸５１に回動可能に外嵌支持されるボス部材５３が一体的に設けられている。
【００４２】
支軸５１の一端側には位置決め用の大径段差部５１ａが備えられ、支軸５１の他端側には径方向に貫通する抜け止めピン５４が挿入されている。支軸５１に対して左右のボス部材５３が外嵌装着された状態で抜け外れが阻止され、ルーフ部４１の左右方向の位置決めが行われる。その結果、ルーフ部４１が、左右方向に位置決めされた状態で、支軸５１の横向き軸芯Ｘ周りで回動可能に支持される。
【００４３】
図５，６に示すように、左右の支持アーム４３と左右の支持ブラケット５２との間には、支持アーム４３に固定され且つ前後方向に延設された固定側部材としての固定ブラケット５５が備えられている。左右の固定ブラケット５５には、左右の支持アーム４３の左右方向外方側からハンドル付きボルト５６の先端ネジ部５６ａが差し込み挿入されている。ハンドル付きボルト５６は、支持ブラケット５２に形成された円弧状の長孔５７を挿通するとともに、固定ブラケット５５に形成されたボルト挿通孔を挿通する状態で設けられている。固定ブラケット５５から左右方向内方側に向けて突出する先端ネジ部５６ａにナット５８が螺合装着されている。
【００４４】
ハンドル付きボルト５６における支持ブラケット５２よりも左右方向外方側の箇所には、段差部５９が形成されている。その段差部５９と支持ブラケット５２との間に座金６０を介在させた状態で、段差部５９とナット５８とにより支持ブラケット５２と固定ブラケット５５とを締め付けて固定することができる。従って、ハンドル付きボルト５６、ナット５８、座金６０等により、ネジ込み操作により支持ブラケット５２と固定ブラケット５５とを押圧固定するネジ込み式固定機構４９が構成されている。
【００４５】
ハンドル付きボルト５６の操作具としての操作ハンドル６１が、左右の縦向きフレーム４２の左右方向外方側に位置する状態で備えられている。操作ハンドル６１は、ハンドル付きボルト５６の軸部を直径方向に挿通するとともに、径方向両側外方に大きく突出する状態で固定されている。このような操作ハンドル６１を備えることにより、締め付け固定作業及び締め付け解除作業を、スパナ等の工具を用いることなく容易に行うことができる。
【００４６】
次に、保持機構５０について説明する。
左側の支持部に保持機構５０が備えられている。保持機構５０には、手動操作具として、固定ブラケット５５にスライド操作可能に支持されるロックピン６２が備えられている。支持ブラケット５２にロックピン６２が差し込み可能な複数（図に示す例では４個）の係止孔６３が形成されている。ロックピン６２を選択的にいずれかの係止孔６３に差し込むことによりルーフ部４１の角度位置を保持するように構成されている。
【００４７】
説明を加えると、図５，６に示すように、左側の支持部における固定ブラケット５５から一体的に延設される状態で、断面が略逆向きＵ字形のピン保持部６４が備えられている。ピン保持部６４の左右の縦面部６４ａの夫々を左右方向に貫通する状態でロックピン６２が備えられている。ロックピン６２の左右の縦面部６４ａで挟まれた箇所には、移動付勢用のコイルバネ６５が外挿されている。ロックピン６２は、棒体を略Ｌ字形に曲げた形状であり、ロックピン６２の横向き部６２ａが、左右の縦面部６４ａを挿通するとともに先端部が支持ブラケット５２の係止孔６３を通して左側外方に突出している。横向き部６２ａの右側には、略Ｌ字形に延びる曲がり部６２ｂが形成されている。
【００４８】
ロックピン６２のコイルバネ６５よりも左側に係止ピン６６が設けられ、ロックピン６２は、係止ピン６６を介して作用するコイルバネ６５の付勢力により左方向に押圧付勢されている。横向き部６２ａの先端部が支持ブラケット５２の係止孔６３に差し込まれるように移動付勢され、抜け外れが阻止されている。この状態が、ルーフ部４１の角度位置を保持する位置保持状態に対応する。
【００４９】
コイルバネ６５の付勢力に抗して曲がり部６２ｂを手動操作によって右側にスライドさせると、横向き部６２ａの先端部が支持ブラケット５２の係止孔６３から外れて、支持ブラケット５２を固定ブラケット５５に対して支軸５１の横向き軸芯Ｘ周りで回動させることができる。その結果、ルーフ部４１全体が支軸５１の横向き軸芯Ｘ周りで上下揺動可能となる。この状態が、ルーフ部４１の角度位置を変更可能な移動状態に対応する。そして、ルーフ部４１が所望の上下位置になる状態で、ロックピン６２を異なる係止孔６３に差し込み係止させることにより、ルーフ部４１を位置保持することができる。その結果、作業状況に応じて、キャノピー１７の姿勢を前下がり状態から前上がり状態にわたり複数段階に変更することができる。図に示すものでは、係止孔６３が４個形成され、キャノピーの姿勢を上下４段階に変更することができる。
【００５０】
上記したように、保持機構５０は、左右の縦向きフレーム４２のうちの左側の縦向きフレーム４２に対してのみ設けられ、図５に示すように、ロックピン６２の曲がり部６２ｂは、左右の縦向きフレーム４２の間に位置する状態で備えられている。このように構成することで、運転者が、収穫作業の途中で穀粒貯留部５の穀粒貯留状態を目視で確認するために、運転座席１３から立ち上がって身体を捻りながら機体後方を見るような場合に、運転者の身体がロックピン６２の曲がり部６２ｂに接触するおそれは少なく、不快な思いをすることを回避できる。
【００５１】
そして、図４に示すように、ルーフ部４１における左側箇所に把手６７が備えられている。図１に示すように、ルーフ部４１の矩形枠部材４４のうちの左側に位置する前後延設部４４ａの前後中央位置付近に、略Ｕ字形の把手６７が一体的に固定される状態で設けられている。ロックピン６２の操作を行う際に、作業者は、片方の手で把手６７を持ってルーフ部４１を支持しながら、反対側の手でロックピン６２を操作して姿勢を変更することができる。ロックピン６２と把手６７は共に左側に位置する状態で比較的近い位置に備えられており、作業が行い易いものになる。
【００５２】
ところで、ハンドル付きボルト５６の操作ハンドル６１は、横側外方に大きく突出しており、他物との干渉のおそれが少なく、締め付け固定作業及び締め付け解除作業を行い易い。この操作ハンドル６１は、保持機構５０に対して運転座席１３から離れた位置にあるので、運転者の身体が接触するおそれは少ない。
【００５３】
〔別実施形態〕
（１）上記実施形態では、保持機構５０が、左右の縦向きフレーム４２のうちの左側の縦向きフレーム４２に対してのみ設けられる構成としたが、この構成に代えて、保持機構５０を右側の縦向きフレーム４２に対して設ける構成としてもよく、左右両側の縦向きフレーム４２に対して夫々設ける構成としてもよい。
【００５４】
（２）上記実施形態では、保持機構５０が、ロックピン６２が複数の係止孔６３のいずれかに係止することにより位置保持する構成としたが、この構成に代えて、ネジ送りにより係止孔に入り込み係止し、ネジを緩めて係止孔との係止を解除する構成や、例えば、菊座同士の噛み合いによる位置保持機構等を用いてもよく、種々の構成を用いることができる。
【００５５】
（３）上記実施形態では、ネジ込み式固定機構４９が、左右の縦向きフレーム４２に対して夫々備えられる構成としたが、この構成に代えて、左右の縦向きフレーム４２のいずれか一方に対してのみ設ける構成としてもよい。その場合、保持機構５０が設けられる側の縦向きフレーム４２でもよく、保持機構５０が設けられていない側の縦向きフレーム４２でもよい。
【００５６】
（４）上記実施形態では、ルーフ部４１を左右の縦向きフレーム４２に対して支持する支持部として支持アーム４３が備えられ、支持アーム４３とルーフ部４１との連結箇所において、ルーフ部４１が上下回動可能に支持され、その連結箇所に保持機構５０が備えられる構成としたが、この構成に代えて次のように構成してもよい。
【００５７】
例えば、縦向きフレーム４２が上下方向に長く設けられ、且つ、支持アーム４３が縦向きフレーム４２に対して横軸芯周りで回動可能に連結され、支持アーム４３とルーフ部４１とが一体的に前記横軸芯周りで上下揺動可能に支持される構成とし、支持アーム４３と縦向きフレーム４２との連結箇所に、保持機構５０を備える構成としてもよい。
【産業上の利用可能性】
【００５８】
本発明は、コンバインの他、乗用型田植機、トラクタ、建設機械等の作業車であって、運転部の上方を覆うキャノピーが備えられている作業車に適用できる。
【符号の説明】
【００５９】
３          運転部
４          脱穀部
５          穀粒貯留部
１７        キャノピー
４１        ルーフ部
４２        縦向きフレーム（支柱）
４３        支持アーム（支持部）
４９        固定機構
５０        保持機構
５２        可動側部材
５５        固定側部材
６１        操作具
６２        ロックピン（手動操作具）
６３        係止孔
【図１】
2020080713.tif 000003
【図２】
2020080713.tif 000004
【図３】
2020080713.tif 000005
【図４】
2020080713.tif 000006
【図５】
2020080713.tif 000007
【図６】
2020080713.tif 000008
【図７】
2020080713.tif 000009
【図８】
2020080713.tif 000010